(57)【要約】【課題】ＬＥＤに異常が認められる場合に容易に補修することができる。【解決手段】ＬＥＤ部４１が長手方向に並べて実装された細長の発光器具４をシート２に設けられた細長の収容袋３に収容し、該収容状態の発光器具４の各ＬＥＤ部４１と対応する位置に設けられた開口３１から各ＬＥＤ部４１の発光を視認可能であり、収容袋３・３の中心線間の間隔を発光器具４の各ＬＥＤ部４１の間隔と対応させ、各ＬＥＤ部４１を画素として機能させるシート表示装置。【選択図】図１
2006023464.tif 000002
【特許請求の範囲】
【請求項１】
ＬＥＤ部が長手方向に並べて実装された細長発光器具をシートに設けられた細長収容袋に収容し、該収容状態の細長発光器具の各ＬＥＤ部と対応する位置に設けられた開口若しくは透光部から、各ＬＥＤ部の発光を視認可能であることを特徴とするシート表示装置。
【請求項２】
前記細長収容袋をシートに並設し、細長収容袋の中心線間の間隔を細長発光器具の各ＬＥＤ部の間隔と対応させ、各ＬＥＤ部を画素として機能させることを特徴とする請求項１記載のシート表示装置。
【請求項３】
隣り合う細長収容袋に収容した細長発光器具の略端部を略弧状の接続線で接続することを特徴とする請求項１又は２記載のシート表示装置。
【請求項４】
隣り合う細長収容袋に収容した細長発光器具の略端部を編組線で接続することを特徴とする請求項１又は２記載のシート表示装置。
【請求項５】
前記細長収容袋をシートの一方の面に設け、前記各ＬＥＤ部の発光が視認される開口若しくは透光部をシートの他方の面に設けることを特徴とする請求項１、２、３又は４記載のシート表示装置。
【請求項６】
請求項１〜５の何れかに記載のシート表示装置を連設して構成することを特徴とする表示システム。
【発明の詳細な説明】
【技術分野】
【０００１】
本発明は、発光ダイオード（ＬＥＤ）をシートに設けるシート表示装置及びそのシート表示装置を用いる表示システムに関する。
【背景技術】
【０００２】
従来、発光ダイオード（ＬＥＤ）をシートに設けるシート表示装置が知られており、かかるシート表示装置を開示している公知文献に特許文献１〜３がある。特許文献１のシート表示装置は、プリント配線板に複数のＬＥＤを装着し、保護カバーを被せた表示ドット部をマトリクス状に配列し、保護カバーの前方部分が露出するように前面シートと裏面シートの間に狭持したもので、保護カバーと前面シートを接着や溶着で固定している。また、特許文献２のシート表示装置は、細長帯状のプリント配線板に長手方向へ所定間隔で表示ドット部となるＬＥＤを実装し、細長帯状のプリント配線板を平行配列して前面シートと裏面シートの間に表示ドット部が露出するように狭持したものである。また、特許文献３のシート表示装置は、特許文献２の構成に加え、前面シートと裏面シートを接着剤で接着し、裏面シートの背面に周辺部分が前面に回り込むように防水シートを配置し、前面シートと裏面シートを一体化したものである。
【０００３】
【特許文献１】実開平１−１００１７３号全文明細
【特許文献２】実開平１−１３５４８４号全文明細
【特許文献３】実開平１−１３５４８５号全文明細
【発明の開示】
【発明が解決しようとする課題】
【０００４】
ところで、上記特許文献１〜３のシート表示装置はいずれも各ＬＥＤを完全にシートに固定してしまうことから、ＬＥＤに異常が認められる場合にシートを取り外すなど全体に亘る補修を行う必要があり、補修作業に多大な労力を要するという課題がある。
【０００５】
本発明は上記課題に鑑み提案するものであって、ＬＥＤをシートに設けるシート表示装置に係り、ＬＥＤに異常が認められる場合に容易に補修することができるシート表示装置及びそのシート表示装置を用いる表示システムを提供することを目的とする。
【課題を解決するための手段】
【０００６】
本発明のシート表示装置は、ＬＥＤ部が長手方向に並べて実装された細長発光器具をシートに設けられた細長収容袋に収容し、該収容状態の細長発光器具の各ＬＥＤ部と対応する位置に設けられた開口若しくは透光部から、各ＬＥＤ部の発光を視認可能であることを特徴とし、また、本発明の表示システムは、シート表示装置を連設して構成することを特徴とする。
【０００７】
更に、シート表示装置は、前記細長収容袋をシートに並設し、細長収容袋の中心線間の間隔を細長発光器具の各ＬＥＤ部の間隔と対応させ、各ＬＥＤ部を画素として機能させ、絵、文字など画像を表示するものとすると好適である。尚、シート表示装置は、画像を表示するもの以外に、例えば装飾的にＬＥＤを発光表示する電飾装置等として用いてもよい。
【０００８】
更に、シート表示装置は、隣り合う細長収容袋に収容した細長発光器具の略端部を略弧状の接続線で接続する構成や、或いは隣り合う細長収容袋に収容した細長発光器具の略端部を編組線で接続する構成や、或いは細長収容袋をシートの一方の面に設け、前記各ＬＥＤ部の発光が視認される開口若しくは透光部をシートの他方の面に設ける構成とすると好適である。
【発明の効果】
【０００９】
本発明のシート表示装置や表示システムは、ＬＥＤ部を実装した細長発光器具を細長収容袋に収容する構成であるから、ＬＥＤに点灯しない等の異常が認められる場合に、そのＬＥＤが実装されている細長発光器具を取り出し、修理する或いは交換することで補修することができる。従って、シートを取り外すなど大掛かりな補修作業が不要となり、少ない労力で容易に補修作業を行うことができる。
【００１０】
更に、隣り合う細長収容袋に収容した細長発光器具の略端部を略弧状の接続線や編素線で接続することにより、例えば細長発光器具を細長収容袋に収容した状態でシートを丸めてシート表示装置を持ち運ぶ際に、接続線に局所的な応力集中が生じて破損することを防止することができる。また、細長収容袋をシートの一方の面に設け、各ＬＥＤ部の発光が視認される開口若しくは透光部をシートの他方の面に設けることにより、シートの視認される面を略面一にし、美観を向上することができる。
【発明を実施するための最良の形態】
【００１１】
次に、本発明について実施形態のシート表示装置１に基づき説明する。
【００１２】
本実施形態のシート表示装置１は、図１及び図２に示すように、布製で方形のシート２の片面に細長の収容袋３が並設され、細長の収容袋３のそれぞれに細長の発光器具４が収容されている。収容袋３と発光器具４の形状及び寸法は対応しており、収容袋３は発光器具４より若干大きめの寸法になっている。各発光器具４には、シート２に於ける収容袋３の中心線相互間の間隔に対応する間隔で長手方向にＬＥＤ部４１が並べて設けられている。
【００１３】
細長収容袋３には、収容される細長発光器具４の各ＬＥＤ部４１と対応する前面箇所に開口３１が形成され、縦横に等間隔で配置される各ＬＥＤ部４１が各開口３１から発光して画素として機能し、文字や絵等が表示されるようになっており、又、開口３１と対応するＬＥＤ部４１以外の発光器具４の部分は収容袋３で保護されている。尚、シート２は、内部に繊維が設けられているターボリン等の素材で適宜形成することが可能であり、また、シート２や収容袋３を切断して開口３１を形成するなど切断箇所が設けられる場合には、切断箇所を高周波溶着すると好適である。また、開口３１に代えてＬＥＤ部４１のＬＥＤ４１ａの発光を視認可能な透光面を設けてもよい。
【００１４】
更に、シート２で隣り合う収容袋３に収容された発光器具４の略端部には中継接続線５の端部が固着され、前記隣り合う発光器具４・４相互が略弧状の中継接続線５を介して接続されており、また、左右両端の収納袋３に収容される発光器具４にはコネクタ６１を有する接続線６の端部が固着されている。尚、略弧状の中継接続線５に代えて編組線５ａを用い、例えば収容袋３の略上端の左右位置にスリットを形成し（図示せず）、そのスリットから引き出される編組線５ａを介して隣り合う発光器具４・４を相互に接続してもよく（図１参照）、又、チューブ状或いは線状の接続線６に代えて編組線を用いてもよい。
【００１５】
シート２には収容袋３の収容口３２の上方位置にカバー７が設けられ、カバー７はその略下部と収容袋３の略上端前面に設けられた面ファスナー７１で開閉自在になっており、発光器具４が収容された収容袋３の収容口３２をカバー７で閉じて、発光器具４の抜け出しを防止可能である。また、シート２の左右両側の側辺に沿って面ファスナー８が添設され、図１及び図２の例では左側辺の表面と右側辺の裏面に面ファスナー８が添設されている。前記面ファスナー８を別のシート表示装置１に於けるシート２の面ファスナー８と着脱自在に固着し、シート２相互或いはシート表示装置１相互を連設できるようになっている。２１はシートを取り付ける際の取付穴である。
【００１６】
発光器具４には、図２に示すように、３つのＬＥＤ４１ａで構成されるＬＥＤ部４１が一列に所定間隔で並べて配設され、各ＬＥＤ４１ａは同一方向に向けられ、帯状の配線基板４２の所定位置に実装されており、また、配線基板４２の略一端にはＬＥＤ４１ａの駆動信号を出力するＬＥＤドライバ４３が実装されている。各ＬＥＤ部４１の３つのＬＥＤ４１ａは直列に接続され、ＬＥＤ４１ａは配線基板４２の所定の回路パターンによりＬＥＤドライバ４３や電源供給線に接続される。
【００１７】
各ＬＥＤ４１ａ、ＬＥＤドライバ４３、配線基板４２は細長箱形のケース４４内に収納され、その配線基板４２がケース４４内の載置台４５に載置されている。前記ＬＥＤ４１ａ、ＬＥＤドライバ４３、配線基板４２をケース４４に収納する場合には、基台４４１上の載置台４５上に、ＬＥＤ４１ａ及びＬＥＤドライバ４３が実装された配線基板４２を載置し、取付カバー４４２の両端を基台４４１の略両端近傍の係合突起に外側から係合して取付カバー４４２を取り付けて収納する。前記取付カバー４４２は略円筒面であり、後述する開口４４ａ以外で各ＬＥＤ４１ａを斜め上方から側面にかけて保護するようになっている。尚、ケース４４は、樹脂モールドの成型品等とすると好適である。
【００１８】
更に、ケース４４内には、各ＬＥＤ４１ａの略上部を露出した状態でウレタン樹脂など合成樹脂の充填材４６が充填される。各ＬＥＤ４１ａ、ＬＥＤドライバ４３、配線基板４２が充填材４６で固定されると共に、充填材４６でＩＰ６５等の防水規格に適合する防水性や、耐腐食性が確保されている。また、ケース４４のＬＥＤ部４１に対応する位置は開口４４ａになっていると共に、ケース４４の開口４４ａの周縁は各ＬＥＤ４１ａの上端より前方に突出形成され、ＬＥＤ４１ａの破損を防止可能になっている。
【００１９】
発光器具４は、ＬＥＤ４１ａとＬＥＤドライバ４３を回路パターンに従って配線基板４３に接続して実装した後、ＬＥＤ４１ａとＬＥＤドライバ４３が実装された配線基板４３をケース４４内に収納して載置台４５に載置し、その後、ＬＥＤ４１ａの略上部が露出するようにして、ケース４４内にウレタン樹脂等の充填材４６を充填して製造される。前記充填材４６を充填する際には、硬化後に密着性を確保できる所要粘度を有するように充填材４６を充填し、充填材４６とケース４４の内面とが密着するようにすると好適である。
【００２０】
次に、上記実施形態のシート表示装置１で表示システムを構成して、シート表示装置１を動作させる例について説明する。
【００２１】
例えばシート表示装置１を用いて図３に示す表示システムを構成する。図３の表示システムは、シート表示装置１を面ファスナー８で３つ連設した各表示ブロック１０ａ１、１０ａ２・・、１０ｂ１、１０ｂ２・・、１０ｃ１、１０ｃ２・・を有し、更に、制御部・記憶部・表示部・操作入力部・送受信部等を備え、操作入力部からの入力で表示内容に対応するＬＥＤ４１ａの点灯及び消灯を制御するアプリケーションプログラムが前記記憶部に設定されていると共に、データ信号・クロック信号・ラッチ信号・イネーブル信号、信号グランドで構成される表示制御信号や後述の電源装置の制御信号を出力するコントローラ１１と、コントローラ１１で制御されシート表示装置１に電源を供給する電源装置１２と、表示制御信号や電源の入力インターフェイス１３及び出力インターフェイス１４を有する。入力インターフェイス１３及び出力インターフェイス１４には、データ信号・クロック信号・ラッチ信号・イネーブル信号を受信するＲＳ４２２レシーバ、ＲＳ４８５レシーバ等、コントローラ１１と通信するためのレシーバ１５が設けられている（図４参照）。尚、コントローラ１１、電源装置１２、入力インターフェイス１３、出力インターフェイス１４は屋外で使用可能に必要に応じて防水処理を施してもよい。
【００２２】
各表示ブロック１０ａ１等の各シート表示装置１では、隣り合う発光器具４・４相互が中継接続線５を介して接続されると共に、隣り合うシート表示装置１・１の端部の発光器具４・４相互が接続線６を介して接続される（図１参照）。更に、各表示ブロック１０ａ１等の左端のシート表示装置１に於ける左端の発光器具４の接続線６は、表示制御信号及び電源が導入される入力インターフェイス１３にそれぞれ接続され、また、各表示ブロック１０ａ１等の右端のシート表示装置１に於ける右端の接続線６は、表示制御信号及び電源が導出される出力インターフェイス１４にそれぞれ接続され、出力インターフェイス１４と入力インターフェイス１３がそれぞれ接続される。
【００２３】
そして、コントローラ１１から出力される表示制御信号と電源装置１２から出力される電源は、入力インターフェイス１３から表示ブロック１０ａ１、１０ｂ１、１０ｃ１の左端のシート表示装置１に於ける左端の発光器具４に導入されて、中継接続線５や接続線６を介して順次に表示ブロック１０ａ１、１０ｂ１、１０ｃ１の次順位の発光器具４に入力される。更に、表示ブロック１０ａ１、１０ｂ１、１０ｃ１から導出される表示制御信号及び電源は、出力インターフェイス１４及び入力インターフェイス１３を介し、表示ブロック１０ａ２、１０ｂ２、１０ｃ２の左端のシート表示装置１に於ける左端の発光器具４に導入されて、中継接続線５や接続線６を介して順次に表示ブロック１０ａ２、１０ｂ２、１０ｃ２の次順位の発光器具４に入力される。更に、それ以降の表示ブロックにも同様にして表示制御信号や電源が入力され、各表示ブロック１０ａ１、１０ａ２・・、１０ｂ１、１０ｂ２・・、１０ｃ１、１０ｃ２・・のシート表示装置１に於ける発光器具４は、前記表示制御信号に基づき所定のパターンでＬＥＤ部４１の各ＬＥＤ４１ａを発光表示する。
【００２４】
より詳細には、例えば図４に示すように、電源装置１２から入力インターフェイス１３を介して導入される電源が、表示ブロック１０ａ１の左端の発光器具４のＬＥＤドライバ４３と、前記発光器具４の各ＬＥＤ部４１のＬＥＤ４１ａに供給され、また、コントローラ１１から入力インターフェイス１３を介して表示制御信号が発光器具４に供給され、前記表示制御信号の内のデータ信号・クロック信号・ラッチ信号・イネーブル信号はレシーバ１５を介してＬＥＤドライバ４３に供給される。前記電源とクロック信号とラッチ信号とイネーブル信号は母線からの供給で供給され、前記データ信号はＬＥＤドライバ４３を数珠繋ぎにして供給される。
【００２５】
更に、電源と表示制御信号は、前記左端の発光器具４から中継接続線５を介して２番目の発光器具４に供給されて、２番目の発光器具４でも前記左端の発光器具４と同様に、電源がＬＥＤドライバ４３とＬＥＤ４１ａに供給され、且つデータ信号・クロック信号・ラッチ信号・イネーブル信号がＬＥＤドライバ４３に供給され、以下の順位の発光器具４にも同様に供給される。そして、表示ブロック１０ａ１に於ける２番目のシート表示装置１の左端の発光器具４には接続線６を介して電源と表示制御信号が同様に供給され、また、表示ブロック１０ａ２の左端のシート表示装置１に於ける左端の発光器具４には、接続線６や出力インターフェイス１４・入力インターフェイス１３を介して電源と表示制御信号が供給される。以降は同様に表示制御信号等が供給され、また、並列配置されている他の表示ブロック１０ｂ１、１０ｂ２・・や、１０ｃ１、１０ｃ２についても同様である。
【００２６】
そして、各表示ブロック１０ａ１等のシート表示装置１に於ける各発光器具４のＬＥＤドライバ４３は、供給されるデータ信号に基づき点灯するＬＥＤ４１ａを認識して点灯し、各ＬＥＤ部４１の所定のＬＥＤ４１ａが点灯することで、表示ブロック１０ａ１等に所定の内容が表示される。
【００２７】
上記実施形態のシート表示装置１は、ＬＥＤ部４１を実装した発光器具４を収容袋３に収容する構成であるから、ＬＥＤ４１ａに点灯しない等の異常が認められる場合に、そのＬＥＤ４１ａが実装されている発光器具４を取り出して修理或いは交換し、少ない労力で補修することができる。また、隣り合う発光器具４・４の略端部を略弧状の中継接続線５或いは編組線５ａで接続することにより、中継接続線５に局所的な応力集中が生じて破損することを防止することができる。また、不使用時にはシート２を丸めたり折り畳んだりして収納し、又は、持ち運ぶことができ、収納性や可搬性に優れる。特に、発光器具４を収容袋３に収容した状態でも、シート２は発光器具４の長手方向に強度を有し且つ前記方向と垂直方向には折り曲げられる蛇腹状であるから、シート２を丸め込んで容易に持ち運ぶことができる。また、各発光器具４に充填材４６で防水性や耐腐食性が確保されているので、シート表示装置１の全体にこれらの処理を施す必要がない。また、発光器具４やシート表示装置１は、取付カバー４４２の略円筒形や、充填材４６の充填や、好適にはモールド成型品のケース４４により、非常に高い強度が確保される。
【００２８】
尚、表示システムは上記実施形態の構成に限定されず、例えば各シート表示装置１にそれぞれ１文字ずつの文字を表示する構成等で、図５に示すように、独立した各シート表示装置１を入力インターフェイス１３や出力インターフェイス１４を介して接続し、上記実施形態と同様に電源や表示制御信号を供給する構成としてもよい。
【００２９】
また、一画素として機能するＬＥＤ部４１のＬＥＤ４１ａの個数は単数若しくは３つ以外の複数とするなど適宜であり、また、赤、青、緑の各ＬＥＤ４１ａでＬＥＤ部４１を構成する、或いは緑等の同一色のＬＥＤ４１ａでＬＥＤ部４１を構成することが可能であり、また、ＬＥＤ４１ａの大きさや、ＬＥＤ部４１に於けるＬＥＤ４１ａの配置も、視認される距離や角度等に応じて適宜設定することが可能である。更に、シート表示装置１の収容袋３の個数や発光器具４の個数、発光器具４に於けるＬＥＤ部４１の個数、シート表示装置１で画素として機能するＬＥＤ部４１の個数は必要に応じて適宜であり、また、シート表示装置１には必要に応じて一つ若しくは複数の文字や記号、絵等を表示することが可能である。
【００３０】
また、シート表示装置１は、ＬＥＤ４１ａとＬＥＤドライバ４３の接続作業を省略して配線作業を容易化すべく、発光器具４に、予めＬＥＤドライバ４３を配線基板４２に実装してケース４４内に収納する構成としたが、ＬＥＤ４１ａとＬＥＤドライバ４３を接続する構成は適宜である。
【００３１】
また、防水処理等の必要が無い場合は、ケース４４内に充填材４６を設けない構成とすることも可能であり、又、充填材４６は透明充填材とすると好適であるが半透明や透明でないものを用いることも可能である。更に、発光器具４に於いて、ＬＥＤ４１ａを露出させずに透明充填材である充填材６に完全に埋没して設け、より確実な防水性を得られるようにしてもよい。更には、ＬＥＤ部４１やＬＥＤ４１ａの下方に凹形の反射板を配設する構成としてもよく、特にＬＥＤ４１ａを透明充填材に埋没して設ける場合に、ＬＥＤ４１ａの下方に凹形反射板を配設すると、透明充填材と空気の屈折率の相違等で減少する光度を補償することができて好適である。
【００３２】
また、複数のシート表示装置１を面ファスナー８以外の取付部で連設する構成としてもよく、或いは、図１の形状のシート表示装置１を一体的に複数連設したシート表示装置としてもよい。
【００３３】
また、上記実施形態のシート表示装置１では、隣り合う発光器具４・４を中継接続線５を介して直接接続する構成としたが、隣り合う発光器具４・４をコネクタを有する中継接続線を介して接続する構成とすると、補修の際に発光器具４をシート表示装置１から取り外す作業が非常に容易になって好適であり、例えば各発光器具４の端部にコネクタを有する中継接続線を設け、前記コネクタを相互に接続して隣り合う発光器具４・４を接続する構成等とする。
【００３４】
また、上記実施形態に於ける発光器具４では、収容袋３の前面に開口３１が設けられている構成としたが、収容袋３の適宜の面に開口を設けることが可能であり、更には、図６に示すように、収容袋３と逆側のシート２の面に開口３１を設け、ＬＥＤ４１ａを前記シート２の面に向けて発光器具４を収容袋３に収容し、開口３１とＬＥＤ部４１を対応させ、シート２の収容袋３がない方の面から発光させる構成としてもよく、前記構成により、シート表示装置１の平面感が高められ、美観を向上することができる。
【００３５】
また、図６の構成例は、ＬＥＤ４１ａとしてチップＬＥＤを用い、ケース４４や収容袋５を断面視で薄い略方形とすることで、発光器具４やシート表示装置１を非常に薄くすることが可能であり、更に、前記薄型の構成は、乱反射でケース４４内等にこもる光など照射光の無駄を極力抑制することができ、特にチップＬＥＤであるＬＥＤ４１ａを露出させずに完全に充填材４６内に埋設する場合に、照射光を有効利用して所望の光量を確保することができる。
【００３６】
また、シート２に放射状に配設した各収容袋３に発光器具４を収容配置し、発光器具４を放射状に配設したシート表示装置１としてもよい。例えば図７に示すように、シート２に細長の収容袋３を円形放射状に配設して、各収容袋３に発光器具４を収容配置すると共に、略方形の収容袋３ａを各収容袋３の先端近傍の両側に配設して、ＬＥＤ部４１を１箇所或いは少数の複数箇所有する略方形の発光器具４ａを各収容袋３ａに収容配置し、収容袋３、３ａを図に省略した面ファスナー付カバーで閉じて各発光器具４、４ａを各位置で飛び出さないように固定し、更に各発光器具４、４ａを所定パターンの接続線（図示の点線）で接続し、表示制御信号等を送信して所要の発光器具４、４ａのＬＥＤ４１を点灯させ、ＬＥＤ４１の発光で所定パターンを表示する構成等とする。尚、発光器具４ａのＬＥＤドライバは、発光器具４ａへ接続線を導出している発光器具４のＬＥＤドライバ４３と共用しても、異なるものを別途設置してもよい。
【００３７】
図７のシート表示装置１の構成例は、例えば制御プログラムに従う制御部が所定パターンの表示制御信号等を送信して電飾装置として機能させる、或いはタイマーの計測時刻に基づき制御プログラムに従う所定パターンの表示制御信号等を送信し、円形配置されている発光器具４のＬＥＤ４１ａを順次時計回りに発光させて時刻表示器として機能させる、或いは放射状に配設されている発光器具４に対応する方位と、外側のＬＥＤ部４１まで発光する程風速が高くなる等で発光器具４のＬＥＤ部４１に対応する風速をシート２等に示し、風向風速計の計測値に基づき制御プログラムに従う制御部が所定パターンの表示制御信号等を送信し、所要の発光器具４のＬＥＤ４１ａを発光させて風向風速表示器若しくは風向や風速の表示器として機能させること等が可能である。図７の黒丸は時刻や風向を指し示す発光状態の例である。尚、必要とする機能や表示内容に応じて、発光器具４やＬＥＤ４１ａの設置箇所、設置数、設置形態等は適宜調整することが可能である。
【００３８】
また、図８に示すように、円錐形のシート２に収容袋３を円錐面に沿って放射状に配設し、シート２を図に省略した円錐形の基台等に載置すると共に、各収容袋３に発光器具４を収容し、円錐面に沿って放射状に配設された各発光器具４のＬＥＤ部４１を所定パターンで発光させる立体的な電飾装置等のシート表示装置１としてもよい。
【００３９】
また、図９に示すように、シート２に収容袋３を直線状に所定間隔で設け、収容袋３を長尺のパイプ等の芯材２に巻き付けると共に各収容袋３に発光器具４を収容し、各発光器具４のＬＥＤ部４１を所定パターンで発光させる電飾装置等のシート表示装置１としてもよい。
【００４０】
また、上記実施形態や各例の構成を他の構成に追加し、或いは上記実施形態や各例の構成を他の構成に変更し、或いは上記実施形態や各例の構成を部分的な作用効果を奏する限度で削除したものも本発明に含まれる。
【産業上の利用可能性】
【００４１】
本発明は、例えば絵や文字等の画像を表示する表示装置や電飾装置等に利用することができる。
【図面の簡単な説明】
【００４２】
【図１】実施形態のシート表示装置を示す正面図。
【図２】（ａ）は図１のＡ−Ａ線矢視の横断面図、（ｂ）は図１のＢ−Ｂ線矢視の縦断面図。
【図３】実施形態のシート表示装置による表示システムの構成例を示すブロック図。
【図４】実施形態のシート表示装置に於ける配線構造を示すブロック図。
【図５】実施形態のシート表示装置による表示システムの他の構成例を示すブロック図。
【図６】第１変形例のシート表示装置の部分横断面図。
【図７】第２変形例のシート表示装置の正面図。
【図８】第３変形例のシート表示装置の正面図。
【図９】第４変形例のシート表示装置の斜視図。
【符号の説明】
【００４３】
１  シート表示装置
２  シート
３  収容袋
３１  開口
４  発光器具
４１  ＬＥＤ部
４１ａ  ＬＥＤ
４２  配線基板
４３  ＬＥＤドライバ
４４  ケース
４６  充填材
５  中継接続線
５ａ  編組線
６  接続線
７  カバー
７１、８  面ファスナー
１０ａ１、１０ａ２、１０ｂ１、１０ｂ２、１０ｃ１、１０ｃ２  表示ブロック
１１  コントローラ
１２  電源装置
１３  入力インターフェイス
１４  出力インターフェイス
１５  レシーバ
【図１】
2006023464.tif 000003
【図２】
2006023464.tif 000004
【図３】
2006023464.tif 000005
【図４】
2006023464.tif 000006
【図５】
2006023464.tif 000007
【図６】
2006023464.tif 000008
【図７】
2006023464.tif 000009
【図８】
2006023464.tif 000010
【図９】
2006023464.tif 000011